(57)【特許請求の範囲】
【請求項１】
光透過領域を有するサブ画素がマトリクス状に複数配列されて表示領域を構成する透過型液晶表示装置であって、
前記サブ画素の領域内には部分的に光反射層が形成され、該光反射層が設けられた領域と前記光透過領域はセルギャップが実質的に等しく設定されており、
非駆動状態において、複数の前記サブ画素の領域内に形成された前記光反射層によって、前記表示領域に所定の模様を構成した反射表示を行うことを特徴とする。
【請求項２】
前記光透過領域はノーマリーブラックモードで作動し、前記光反射層が設けられた領域はノーマリーホワイトモードで作動することを特徴とする請求項１に記載の透過型液晶表示装置。
【請求項３】
前記光反射領域は、前記表示領域の全てのサブ画素に形成されており、前記表示領域に表示させておきたい模様に対応するサブ画素以外の光反射領域はノーマリーブラックモードで作動することを特徴とする請求項２に記載の透過型液晶表示装置。
【請求項４】
前記光透過領域がノーマリーブラックモードで作動する透過型液晶表示装置は、垂直配向モード又は横方向電界モードで駆動されるものであることを特徴とする請求項２に記載の透過型液晶表示装置。
【請求項５】
前記透過型液晶表示装置を非駆動状態とした際に、前記表示領域に表示させておきたい模様に対応する前記サブ画素の光反射領域のカラーフィルタ層を除去したことを特徴とする請求項１乃至４のいずれか一項に記載の透過型液晶表示装置。
【請求項６】
請求項１乃至５のいずれか一項に記載の透過型液晶表示装置を備えたことを特徴とする電子機器。
【発明の詳細な説明】
【技術分野】
【０００１】
本発明は、透過型液晶表示装置及びこの透過型液晶表示装置を備えた電子機器に関し、
特に電源オフ状態において所定の文字やロゴ等を表示できるようにした透過型液晶表示装
置及びこの透過型液晶表示装置を備えた電子機器に関する。
【背景技術】
【０００２】
液晶表示パネルとして、透過型、反射型及び透過型と反射型の性質を併せ持つ半透過型
の液晶表示装置（下記特許文献１参照）が知られている。このうち、半透過型の液晶表示
装置は、一つの画素領域内に画素電極を備えた光透過領域と画素電極及び反射板の両方を
備えた光反射過領域を有している。そして、暗い場所においてはバックライトを点灯して
光透過領域を利用して画像を表示し、明るい場所においてはバックライトを点灯すること
なく光反射過領域において外光を利用して画像を表示するものである。そのため、半透過
型液晶表示パネルは、常時バックライトを点灯する必要がなくなるので、消費電力を大幅
に低減させることができるという利点を有している。この半透過型の液晶表示装置は、携
帯電話など、特に中小型の電子機器の表示部として広く用いられている。
【０００３】
一方、近年では、電子機器のデザイン性の向上が多く求められているため、例えば携帯
電話において、待ち受け画面等に任意の画像を表示するだけではなく、メーカーロゴや特
定の模様など、多種多様な画像が表示されている。加えて、携帯電話機等の電子機器が高
精細化されていると共に画像表示が多くなっていることから、半透過型の液晶表示装置も
バックライトを点灯して透過型として使用されることが多くなっている。
【特許文献１】特開平１１−１０１９９２号公報
【発明の開示】
【発明が解決しようとする課題】
【０００４】
液晶表示装置の表示部に画像を表示する際には、電源がオンの状態で液晶表示装置を駆
動して表示する必要がある。しかしながら、従来の液晶表示装置では、電源をオフにした
ときには何も表示されない状態になってしまうため、電源オフ時には画像を表示すること
ができない。従って、待ち受け画面等を長時間表示するには特定の画素を長時間駆動し続
ける必要があるため、その分だけ消費電力が多くなってしまう。このように待ち受け画面
等を長時間表示する場合、半透過型の液晶表示装置であればバックライトを点灯せずに反
射型として駆動すればよいが、それでも表示時間が長くなればなるほどそれに比例して消
費電力は大きくなる。しかも、透過型の液晶表示装置では、待ち受け画面等を表示する場
合であってもバックライトを点灯しないと視認できないため、消費電力は膨大なものとな
る。このような消費電力の増大は、携帯電話機等の小型の電子機器にとっては重大な問題
となる。
【０００５】
近年、電源オフ時にもこのような画像を表示しておくことができるようにし、表示部を
含めた機器全体のデザイン性を高めようとする提案がなされている。そのためには、液晶
表示装置の電源オフ時にも何等かの画像を表示できるようにする必要がある。しかしなが
ら、従来は、電源オン時に実質的に正常な画像表示ができ、電源オフ時に何等かの画像を
表示できるような透過型の液晶表示装置は知られていなかった。
【０００６】
以上のような事情に鑑み、本発明の目的は、電源をオフした状態においても、社名のよ
うな識別用の記号等を含む所定の模様を表示することができる、幅広い表現力を備えた表
示特性の高い透過型の液晶表示装置及びこの液晶表示装置を備えた電子機器を提供するこ
とにある。
【課題を解決するための手段】
【０００７】
上記目的を達成するため、本発明の透過型液晶表示装置は、光透過領域を有するサブ画素がマトリクス状に複数配列されて表示領域を構成する透過型液晶表示装置であって、前記サブ画素の領域内には部分的に光反射層が形成され、該光反射層が設けられた領域と前記光透過領域はセルギャップが実質的に等しく設定されており、非駆動状態において、複数の前記サブ画素の領域内に形成された前記光反射層によって、前記表示領域に所定の模様を構成した反射表示を行うことを特徴とする。
【０００８】
本発明の透過型液晶表示装置は、この透過型液晶表示装置を非駆動状態とした際に、前
記表示領域に表示させておきたい模様に対応する前記サブ画素に光反射領域を形成したた
め、この光反射領域は非駆動状態において外光を反射することができる。そのため、透過
型液晶表示装置が非駆動状態であっても、光反射領域が形成された部分においては、外光
からの入射光が出射する際に識別パターンなどの模様に応じた色層の色を有する出射光と
なって出射することになるので、模様を表示させておくことが可能となる。また、透過型
液晶表示装置が駆動状態では、光反射領域からの反射光は弱いので、光透過領域を利用し
て良好な画像表示を行うことができる。従って、本発明の透過型液晶表示装置は幅広い表
現力を備えた表示特性の高い透過型液晶表示装置となる。
【０００９】
また、本発明の透過型液晶表示装置においては、前記光透過領域と光反射領域はセルギ
ャップが等しいことが好ましい。
【００１０】
すなわち、本発明の透過型液晶表示装置は、半透過型の液晶表示装置ではないため、駆
動時に光反射領域で画像表示を行わないので、光反射領域と光透過領域のリタデーション
の差異を考慮する必要がない。そのため、本発明の透過型液晶表示装置は、半透過型の液
晶表示装置を製造するプロセスの一部を削減することができ、一部に光反射領域を有しな
がらも構成が簡素で、安価にかつ容易に製造し得る透過型の液晶表示装置となる。
【００１１】
また、本発明の透過型液晶表示装置は、前記光透過領域はノーマリーブラックモードで作動し、前記光反射層が設けられた領域はノーマリーホワイトモードで作動するものであることが好ましい。
【００１２】
ノーマリーブラックモードでは、液晶の駆動用電極間に電界が印加されていない非駆動
状態では、液晶分子は配向膜によって規制されている方向に配向しており、光を透過しな
いために黒表示となる。しかし、液晶の駆動用電極間に電界が印加されている駆動状態で
は、液晶分子は電界によって動かされるので、光を透過するようになる。これに対し、ノ
ーマリーホワイトモードでは、液晶の駆動用電極間に電界が印加されていない非駆動状態
では、液晶分子は配向膜によって規制されている方向に配向して光を透過する状態となっ
ており、白表示となる。しかし、液晶の駆動用電極間に電界が印加された駆動状態では、
液晶分子は電界によって動かされるので、光を透過しない状態となり、黒表示となる。
【００１３】
係る発明の透過型液晶表示装置によれば、光透過領域はノーマリーブラックモードで作
動し、光反射領域はノーマリーホワイトモードで作動するので、液晶に電界が印加されて
いない非駆動時には、光透過領域は黒表示となり、光反射領域は白表示となる。従って、
本発明の透過型液晶表示装置によれば、透過型液晶表示装置が非駆動状態であっても、光
反射領域が形成された部分においては、外光からの入射光が出射する際に識別パターンな
どの模様に応じた色層の色を有する出射光となって出射することになるので、特に明確に
模様を表示させておくことが可能となる。また、透過型液晶表示装置が駆動状態では、光
反射領域からの反射光は弱いので、光透過領域を利用して良好な画像表示を行うことがで
きる。従って、係る発明の透過型液晶表示装置によれば、幅広い表現力を備えた表示特性
の高い透過型液晶表示装置となる。
【００１４】
また、本発明の透過型液晶表示装置においては、前記光反射領域は、前記表示領域の全
てのサブ画素に形成されており、前記表示領域に表示させておきたい模様に対応するサブ
画素以外の光反射領域はノーマリーブラックモードで作動することが好ましい。
【００１５】
全てのサブ画素に光反射領域を形成すると、表示領域に表示させておきたい模様に対応
するサブ画素と他の画素の光反射領域の透過率を合わせることができるため、特に表示画
質が向上する。なお、表示領域に表示させておきたい模様に対応するサブ画素はノーマリ
ーホワイトモードにされているから、その他のサブ画素の光反射領域をノーマリーブラッ
クモードとなるようにすると特に表示領域に表示させておきたい模様が特に明確に視認で
きるようになる。
【００１６】
また、本発明の透過型液晶表示装置においては、前記光透過領域がノーマリーブラック
モードで作動する透過型液晶表示装置は、垂直配向ＶＡ（Vertically Aligned）モード又
は横方向電界モードで駆動されるものとすることが好ましい。
【００１７】
これらのＶＡモード又は横方向電界モードで駆動される液晶表示装置は、ノーマリーブ
ラックモードの透過型液晶表示装置であるだけでなく、広視野角でコントラストが良好で
あるという特徴を有しているため、上記本発明の効果を奏しながらも広視野角でコントラ
ストが良好な透過型液晶表示装置となる。なお、横方向電界モードで駆動される透過型液
晶表示装置としては、ＩＰＳ（In-Plane Switching）モードないしＦＦＳ（Fringe Field
Switching）モードのものを使用し得る。
【００１８】
また、本発明の透過型液晶表示装置においては、前記透過型液晶表示装置を非駆動状態
とした際に、前記表示領域に表示させておきたい模様に対応する前記サブ画素の光反射領
域のカラーフィルタ層を除去することができる。
【００１９】
係る態様の透過型液晶表示装置によれば、透過型液晶表示装置が非駆動状態となってい
るときに表示する模様を白黒でも表示させることができ、様々な色調の模様の表示が可能
となる。
【００２０】
更に、上記目的を達成するため、本発明の電子機器は、上記いずれかに記載の透過型液
晶表示装置を備えたことを特徴とする。
【００２１】
本発明の電子機器によれば、幅広い表現力を備え、コントラストが良好なノーマリーブ
ラックモードの透過型液晶表示装置を備えた電子機器が得られる。
【発明を実施するための最良の形態】
【００２２】
以下、図面を参照して本発明の最良の実施形態を説明する。但し、以下に示す実施形態
は、本発明の技術思想を具体化するための透過型液晶表示装置としてＶＡモードの透過型
液晶表示装置を例示するものであって、本発明をこのＶＡモードの透過型液晶表示装置に
特定することを意図するものではなく、特許請求の範囲に含まれるその他の実施形態のも
のにも等しく適応し得るものである。なお、この明細書における説明のために用いられた
各図面においては、各層や各部材を図面上で認識可能な程度の大きさとするため、各層や
各部材毎に縮尺を異ならせて表示しており、必ずしも実際の寸法に比例して表示されてい
るものではない。
【００２３】
なお、図１は透過型液晶表示装置の全体構成を示す図である。図２は図１のII−II線に
沿った模式断面図である。図３は第1の実施形態に係る表示させておきたい模様に対応す
る位置の１サブ画素分の模式断面図である。図４は従来の半透過型液晶表示装置の１サブ
画素分の模式断面図である。図５は実施形態の液晶表示装置の非駆動時の表示状態を示す
平面図である。図６Ａは本発明の液晶表示装置を搭載したパーソナルコンピュータを示す
図であり、図６Ｂは本発明の液晶表示装置を搭載した携帯電話機を示す図である。
【００２４】
本発明の実施形態として、スイッチング素子として薄膜トランジスタ（Thin Film Tran
sistor：以下「ＴＦＴ」という）素子を用いたアクティブマトリクス方式のＶＡモードの
透過型液晶表示装置を例に挙げて説明する。図１に示すように、本実施形態の透過型液晶
表示装置１は、液晶パネル２と、バックライト３とを主体として構成されている。そして
、液晶パネル２とバックライト３とは平面視で重なるように配置されており、図１では液
晶パネル２のみが示されている。
【００２５】
この液晶パネル２は、ＴＦＴアレイ基板（第１基板）４とカラーフィルタ基板（第２基
板）５とがシール材７によって貼り合わされると共に、このシール材７によって区画され
た領域内に液晶層６が封入された構成になっている。シール材７の一部には液晶を注入す
る注入口７ａが設けられており、この注入口７ａは封止材７ｂにより封止されている。シ
ール材７の内側の領域には、遮光性材料からなる遮光膜（周辺見切り）８が設けられてい
る。周辺見切り８の内側の領域は、画像や動画等を表示する表示領域９になっている。ま
た、表示領域９には、複数のサブ画素１０がマトリクス状に設けられている。複数のサブ
画素１０の間の領域は画素間領域１１である。
【００２６】
ＴＦＴアレイ基板４の周縁部は、カラーフィルタ基板５から張り出した張出領域になっ
ている。この張出領域のうち図中左辺側及び右辺側には、走査信号を生成する走査線駆動
回路１２が形成されている。図１の上辺側には、左右の走査線駆動回路１２の間を接続す
る配線１４が引き回されている。図１の中央下辺側には、データ信号を生成するデータ線
駆動回路１３と、外部の回路等に接続するための接続端子１５とが形成されている。走査
線駆動回路１２と外部の回路等に接続するための接続端子との間の領域には、両者を接続
する配線１６が形成されている。また、カラーフィルタ基板５の各角部には、ＴＦＴアレ
イ基板４とカラーフィルタ基板５との間で電気的に接続するための基板間導通材１７が設
けられている。
【００２７】
ＴＦＴアレイ基板４は、図２に示したように、例えばガラスや石英等の透光性の高い材
料から形成された基材４ａと、この基材４ａの液晶側に形成された画素電極４８と、この
画素電極４８に電気信号を供給するスイッチング素子４７と、画素電極４８及びスイッチ
ング素子４７を覆うように形成された配向膜４６と、基材４ａの外側（液晶層６とは反対
側）に貼付された偏光板４９とを主体として構成されている。なお、基材４ａと画素電極
４８との間に層間膜を形成する場合もある。
【００２８】
画素電極４８は、サブ画素１０に平面視で重なる領域に配置されており、例えばＩＴＯ
（Indium Tin Oxide）等の透明な導電材料によって形成されている。スイッチング素子４
７は、画素間領域１１内に配置されており、画素電極４８に一対一で対応するように設け
られている。このようにサブ画素１０ごとに独立して液晶層６の配向を規制することが可
能になっている。このスイッチング素子４７は、例えばＴＦＴからなる素子であり、図示
しない走査線やデータ線に接続されている。配向膜４６は、液晶層６との界面に設けられ
ており、液晶層６を構成する液晶分子の配向を規制する。
【００２９】
一方、カラーフィルタ基板５は、基材５ａと、カラーフィルタ層５０と、遮光膜５１と
、共通電極５８と、配向膜５６とを主体として構成されている。カラーフィルタ基板５の
基材５ａは、ＴＦＴアレイ基板４の基材４ａと同様に、例えばガラスや石英等の透光性の
高い材料から形成された矩形の板状部材である。カラーフィルタ層５０は、基材５ａの液
晶層６側に平面視でサブ画素１０に重なるように設けられた色層である。このカラーフィ
ルタ層５０は、例えば赤色層５０Ｒ、緑色層５０Ｇ、青色層５０Ｂの３色の色層からなる
。
【００３０】
１つのサブ画素１０には３色のうち１色のカラーフィルタ層５０が設けられており、赤
色層５０Ｒ、緑色層５０Ｇ、青色層５０Ｂは各々隣接する列に配置されている。互いに隣
接し異なる色層のカラーフィルタ層５０を有する３つのサブ画素１０が１組になって、１
画素（１ピクセル）を構成している。遮光膜５１は、光を反射又は吸収可能な材料からな
る遮光部材であり、当該カラーフィルタ層５０の周囲に設けられている。
【００３１】
共通電極５８は、例えばＩＴＯなどの透明な導電材料によって形成された電極であり、
カラーフィルタ層５０及び遮光膜５１を覆うように設けられている。配向膜５６は、液晶
層６との界面に設けられており、配向膜４６との間で液晶層６を構成する液晶分子の配向
を規制している。
【００３２】
液晶層６は、例えばフッ素系液晶化合物や非フッ素系液晶化合物等の液晶分子によって
構成されており、ＴＦＴアレイ基板４側の配向膜４６とカラーフィルタ基板５側の配向膜
５６との双方に接するように両基板に挟持されている。液晶分子の配向は、電圧を印加し
ない非駆動時に光を遮光する（ノーマリーブラックモード）ように、配向膜４６及び配向
膜５６によって規制されている。ここでは、この配向膜４６及び配向膜５６には垂直配向
膜が使用されており、液晶化合物としては誘電異方性が負のものが使用されている。
【００３３】
この透過型液晶表示装置１は、ＶＡモードの透過型液晶表示装置として作動し、画素電
極４８と共通電極５８との間に電界が印加されていない状態では、液晶分子が垂直状態と
なるように配向し、光を透過させない。しかしながら、画素電極４８と共通電極５８との
間に電界が印加されると、液晶分子が傾くため、光を透過させるようになる。従って、こ
の透過型液晶表示装置１はノーマリーブラックモードの透過型液晶表示装置として作動す
る。
【００３４】
ここで、本発明の実施形態における透過型液晶表示装置の非駆動時に表示させておきた
い模様に対応する位置の１サブ画素分の具体的構成を図３を用いて説明する。この実施形
態では、表示させておきたい模様に対応する位置の画素電極４８の表面に部分的に光反射
層４５を形成し、１サブ画素１０内に画素電極４８のみが形成されている光透過領域１０
ａと光反射層４５が形成されている光反射領域１０ｂとを形成した点である。
【００３５】
光反射層４５は、例えばアルミニウムなどからなる金属層であり、光をカラーフィルタ
基板５側へ反射するようになっている。この光反射層４５は、画素電極４８の液晶層６側
に形成されており、平面視でサブ画素１０内の領域に任意の割合で設けられるが、図２に
おいては平面視でサブ画素１０内のほぼ半分を占める領域に設けられている。そしてこの
領域が光反射領域１０ｂになっている。光反射層４５が設けられない領域は、バックライ
ト３からの光を液晶層６及びカラーフィルタ基板５へと透過する光透過領域１０ａになっ
ている。光反射層４５の表面（液晶層６側の面）が反射面になっており、この反射面には
凹凸のパターンが形成されている。なお、各光反射層４５の厚さは一定になっている。ま
た、ここでは光反射層４５を画素電極４８の表面に形成した例を示したが、光反射層４５
を画素電極４８の下に形成してもよい。
【００３６】
この構成は、従来の半透過型の液晶表示パネルの構成と類似している。すなわち、従来
の半透過型の液晶表示装置では、図４に示したように、全てのサブ画素１０の一部に光反
射層４５が形成され、光透過領域１０ａと光反射領域１０ｂとリタデーションが同じにな
るようにするため、光反射領域１０ｂのカラーフィルタ基板５には絶縁膜の透明層５８ａ
が形成されている。そして、光透過領域１０ａのセルギャップｔ１が光反射領域１０ｂの
セルギャップｔ２の約２倍となるようになされている。
【００３７】
しかしながら、本発明の透過型液晶表示装置１では、反射型としての表示は行わないた
め、光反射領域１０ｂと光透過領域１０ａのリタデーションの差異を考慮する必要がない
。そのため、本発明の透過型液晶表示装置１では、このような絶縁膜の透明層５８ａは形
成されておらず、光透過領域１０ａのセルギャップと光反射領域１０ｂのセルギャップと
が同一になっている。このような構成とすると、特に従来の半透過型液晶表示装置では必
要であった絶縁膜の透明層５８ａを形成するプロセスを削減することができる。そして、
本発明の透過型液晶表示装置１では、この光反射領域１０ｂをノーマリーホワイトモード
として作動させる。なお、この光反射領域１０ｂのみをノーマリーホワイトモードとして
作動させるには、この光反射領域１０ｂに対応する位置の偏光板４９及び５９の偏光方向
を変えること等により容易に行うことができる。
【００３８】
そうすると、透過型液晶表示装置１が駆動されて画像が表示されている間は、光透過領
域１０ａでは正常に画像表示が行われるが、光反射領域１０ｂは光を透過させないので、
画像表示に実質的に影響を与えない。しかしながら、透過型液晶表示装置１が非駆動状態
のときは、光透過領域１０ａは光を透過させなくなるために黒表示となるが、光反射領域
１０ｂでは外光を透過するので、外部からの入射光の一部が透過して光反射層４５によっ
て反射され、この反射光が外部に射出される。そのため、表示領域に表示させておきたい
模様に対応するサブ画素のノーマリーホワイトモードの光反射領域１０ｂを形成すること
により、透過型液晶表示装置１の非駆動状態時に所定模様を表示させることができるよう
になる。
【００３９】
このように構成された透過型液晶表示装置１の電源オフ時の表示領域９の状態の一例を
図５に示す。図５は透過型液晶表示装１の電源をオフした状態、つまりＴＦＴアレイ基板
４とカラーフィルタ基板５と間の液晶層６に電圧が印加されていない非駆動状態での表示
領域９の表示状態を示す。このように、電源オフ時においては、透過型液晶表示装置１の
使用者が表示領域９を観察すると、光反射領域１０ｂにおける外部からの入射光の反射光
を視認できるため、表示領域に表背景パターンに対して予め形成された任意の識別パター
ンを観察することとができるようになる。この実施形態においては、図５に示すように、
識別パターン７０としてＡＢＣＤＥからなる記号を表示させている。
【００４０】
つまり、通常、透過型液晶表示装置１の非駆動時には、バックライト３から表示領域の
サブ画素を透過してくる光はないために黒表示となり、光反射領域１０ｂにおいて光反射
層４５によって反射される外光による光が観察者によって観察されるだけである。このと
き識別パターン７０に対応したサブ画素１０の一部にノーマリーホワイト型とした光反射
領域１０ｂが存在していると、この光反射領域１０ｂからの反射光が観察者により観察さ
れるので、背景パターン６０に識別パターン７０が浮かび上がって観察されることになる
。
【００４１】
したがって、ノーマリーブラック型とした透過型液晶表示装置１において、電源オフ時
に表示させておきたい識別パターンに応じたサブ画素１０の一部にノーマリーホワイト型
の光反射領域１０ｂを形成しておくことで、透過型液晶表示装置１が非駆動状態であって
も、識別パターン７０を表示させておくことが可能となる。
【００４２】
なお、このノーマリーホワイト型の光反射領域１０ｂを特定の色のカラーフィルタ層が
形成されているサブ画素の光反射領域１０ｂに形成すると、その特定の色の反射光を生じ
る。従って、１ピクセル内でノーマリーホワイト型の光反射領域１０ｂが形成されている
サブ画素１０を適宜選択することにより、所望の色の反射光を生じさせることができる。
更には、ノーマリーホワイト型の光反射領域１０ｂが形成されているサブ画素１０の光反
射領域１０ｂのカラーフィルタ層を除去すると、無彩色の反射光を生じさせることができ
、模様を白黒で表示させることも可能となる。
【００４３】
また、透過型液晶表示装置１の電源をオンにした場合には、バックライト３からの光は
、光反射領域１０ｂが形成されていないサブ画素及び光反射領域１０ｂが形成されたサブ
画素の光透過領域１０ａを介して出射した光によって通常の動画や静止画などの様々な表
示が可能となる。このとき外光による光反射領域１０ｂを介して出射される光は、光透過
領域１０ａを介して出射される光に比べると、非常に弱いので、識別マークが使用者に観
察されることはほとんどない。
【００４４】
また、この実施形態においては識別パターン７０としてアルファベットを表示した例を
示したが、このようなアルファベットなどの文字に限定されるものではない。本発明によ
れば文字だけでなく、企業のロゴマーク、花柄、市松模様などを含む多様な模様について
、透過型液晶表示装置１の電源をオフした状態で、使用者に観察させることが可能となる
。このように本発明における透過型液晶表示装置１では、電源オフ時に任意の識別パター
ン７０を表示させておくことができるので、消費電力を大きく低減させることができるよ
うになる。
【００４５】
なお、上記実施形態では、電源オフ時に表示領域に表示させておきたい模様に対応する
サブ画素のみに光反射層４５が形成された光反射領域１０ｂを形成した例を示したが、全
てのサブ画素に光反射層４５が形成された光反射領域１０ｂを形成することもできる。た
だし、電源オフ時に表示領域に表示させておきたい模様に対応するサブ画素以外の光反射
領域１０ｂはノーマリーブラックモードで作動させる必要がある。このように全てのサブ
画素１０に光反射領域１０ｂを形成すると、表示領域に表示させておきたい模様に対応す
るサブ画素と他の画素の光反射領域の透過率を合わせることができるため、特に表示画質
が向上する。また、電源オフ時に表示領域に表示させておきたい模様に対応するサブ画素
はノーマリーホワイトモードにされているから、その他のサブ画素の光反射領域をノーマ
リーブラックモードとなるようにすると特に表示領域に表示させておきたい模様が明確に
視認できるようになる。
【００４６】
なお、上記の実施形態としてはＶＡモードのものについて説明したが、本発明はノーマ
リーブラックモードの透過型液晶表示装置であれば等しく適用可能である。このようなノ
ーマリーブラックモードの他の透過型液晶表示装置としては、例えば、ＴＮモードの透過
型液晶表示装置において偏光板を適宜組み合わせることにより、あるいは、ＩＰＳモード
ないしＦＦＳモード等の横方向電界モードの透過型液晶表示装置があげられる。
【００４７】
以上、本発明の実施形態として透過型液晶表示装置の例を説明した。このような本発明
の透過型液晶表示装置は、パーソナルコンピュータ、携帯電話機、携帯情報端末などの電
子機器に使用することができる。このうち、透過型の液晶表示装置７１をパーソナルコン
ピュータ７０に使用した例を図６Ａに、同じく透過型の液晶表示装置７６を携帯電話機７
５に使用した例を図６Ｂに示す。ただし、これらのパーソナルコンピュータ７０及び携帯
電話機７５の基本的構成は当業者に周知であるので、詳細な説明は省略する。
【図面の簡単な説明】
【００４８】
【図１】第１及び第２の実施形態に共通する透過型液晶表示装置の全体構成を示す図である。
【図２】図１のII−II線に沿った模式断面図である。
【図３】第１の実施形態に係る表示させておきたい模様に対応する位置の１サブ画素分の模式断面図である。
【図４】第２の実施形態に係る表示させておきたい模様に対応する位置の１サブ画素分の模式断面図である。
【図５】図１の透過型液晶表示装置の非駆動時の表示状態を示す平面図である。
【図６】図６Ａは本発明の液晶表示装置を搭載したパーソナルコンピュータを示す図であり、図６Ｂは本発明の液晶表示装置を搭載した携帯電話機を示す図である。
【符号の説明】
【００４９】
１…透過型液晶表示装置  ２…液晶パネル  ３…バックライト  ４…ＴＦＴアレイ基板
５…カラーフィルタ基板  ６…液晶層  ９…表示領域  １０…サブ画素  １０ａ…光透
過領域  １０ｂ…光反射領域  ４５…光反射層  ５０…カラーフィルタ層  ５０Ｒ…赤色
層  ５０Ｇ…緑色層  ５０Ｂ…青色層  ６０…背景パターン  ７０…識別パターン
【図１】
0005076781.tif 000002
【図２】
0005076781.tif 000003
【図３】
0005076781.tif 000004
【図４】
0005076781.tif 000005
【図５】
0005076781.tif 000006
【図６】
0005076781.tif 000007